(57)【要約】ポータブルデバイスの中のバイパスキャパシタに蓄えられたエネルギは、電源電圧が急落されるときに保存されることができ、バイパスキャパシタを再充電する必要性を低減し、そしてそれによって電力を節約する。バイパス電荷節約回路は、バイパスキャパシタと、スイッチ可能な出力供給電圧を有する電源と、出力供給電圧に結合されたポータブルデバイスの負荷回路と、を含み、バイパスキャパシタは、出力供給電圧にフィルタをかけるように動作可能である。また、トランジスタスイッチは、そのトランジスタスイッチが、ディスエーブルにされるときに負荷回路を通してのバイパスキャパシタの放電経路を切り離すようにも動作可能である。さらに、コントローラは、バイパスキャパシタに蓄えられたエネルギを保存するために出力供給電圧とトランジスタスイッチとをオフにするように動作可能である。
2010541536.tif 000002
【特許請求の範囲】
【請求項１】
ポータブルデバイスにおける電力を節約する装置であって、
バイパスキャパシタと、
スイッチ可能な出力供給電圧を有する電源と、
前記出力供給電圧と、前記出力供給電圧にフィルタをかけるように動作可能な前記バイパスキャパシタとに結合された前記ポータブルデバイスの負荷回路と、
トランジスタスイッチが、ディスエーブルにされるときに、前記負荷回路を通しての前記バイパスキャパシタの放電経路を切り離すように動作可能な前記トランジスタスイッチと、
前記バイパスキャパシタに蓄えられたエネルギを保存するために前記出力供給電圧と前記トランジスタスイッチとをオフにするように動作可能なコントローラと、
を備える装置。
【請求項２】
前記トランジスタスイッチは、前記負荷回路と、前記電源からの前記出力供給電圧との間に結合され、前記コントローラに制御可能に結合される、請求項１に記載の装置。
【請求項３】
前記トランジスタスイッチは、前記バイパスキャパシタと、前記出力供給電圧との間に結合され、前記コントローラに制御可能に結合される、請求項１に記載の装置。
【請求項４】
前記トランジスタスイッチは、前記負荷回路と、接地との間に結合され、前記コントローラに制御可能に結合される、請求項１に記載の装置。
【請求項５】
前記トランジスタスイッチは、前記バイパスキャパシタと、接地との間に結合され、前記コントローラに制御可能に結合される、請求項１に記載の装置。
【請求項６】
前記電源は、前記負荷回路とバイパスキャパシタとに対する突入電流を制限するように前記出力供給電圧を制御する、請求項１に記載の装置。
【請求項７】
前記コントローラは、前記出力供給電圧から切り離された電圧源から電力供給される、請求項１に記載の装置。
【請求項８】
前記電源は、バッテリ、または前記ポータブルデバイスの外部の電圧源から入力電圧を受け取る電圧レギュレータであり、前記入力電圧は、再充電されたバッテリと同じ電圧レベルにある、請求項１に記載の装置。
【請求項９】
電子デバイスの中の負荷回路のバイパスキャパシタに蓄えられたエネルギを保存する方法であって、
前記負荷回路をリセット状態に保持するために第１信号を前記負荷回路に対してアサートすることと、
前記第１信号のアサートすることに続く第１期間の後に電圧を前記負荷回路に供給するために使用される電圧源をディスエーブルにすることと、
前記負荷回路を通しての前記バイパスキャパシタの放電を最小にするために前記第１信号のアサートすることに続く第２期間の後に前記バイパスキャパシタを前記負荷回路から切り離すことと、
を備え、前記バイパスキャパシタに蓄えられたエネルギは、保存される、方法。
【請求項１０】
前記バイパスキャパシタと、前記負荷回路との間の結合は、コントローラによって生成されるバイパス信号に基づいてディスエーブルにされる、請求項９に記載の方法。
【請求項１１】
前記電圧源は、前記コントローラによって生成される電圧レギュレータイネーブル信号に基づいてオフにされる、請求項１０に記載の方法。
【請求項１２】
前記第１期間は、前記第２期間以上である、請求項９に記載の方法。
【請求項１３】
前記第１期間と、前記第２期間との両方は、互いに１つまたは２つのゲート遅延内で、ほぼゼロに等しい、請求項９に記載の方法。
【請求項１４】
前記第１期間は、前記第２期間以下である、請求項９に記載の方法。
【請求項１５】
前記電圧を前記負荷回路に対して供給するために使用される前記電圧源をイネーブルにすることと、
前記バイパスキャパシタと、前記負荷回路との間の結合をスイッチオンすることと、
をさらに備え、前記バイパスキャパシタは、前記バイパスキャパシタに保存される前記エネルギに基づいて最小の再充電を必要とする、請求項９に記載の方法。
【請求項１６】
前記バイパスキャパシタと、前記負荷回路との間の結合は、前記電圧源がイネーブルにされるのと同時にイネーブルにされる、請求項１１に記載の方法。
【請求項１７】
ポータブルデバイスの中の回路の複数のパワードメインに関連する複数のバイパスキャパシタに蓄えられたエネルギを保存するための方法であって、
１つまたは複数のパワードメインについて別々に１つまたは複数のパワーダウンイベントを生成することと、
パワーダウンイベントに応じてパワーダウンされるべき前記１つまたは複数のパワードメインを制御された非機能状態に保持することと、
パワーダウンされるべき前記１つまたは複数のパワードメインに関連するバイパスキャパシタをそれらの関連する負荷から切り離すことと、
パワーダウンされるべき前記１つまたは複数のパワードメインに対する前記供給電圧をディスエーブルにすることと、
を備える方法。
【請求項１８】
前記バイパスキャパシタを切り離すために前記パワーダウンイベントの後に第１期間待つことと、
前記供給電圧をディスエーブルにするために前記パワーダウンイベントの後に第２期間待つことと、
をさらに備える請求項１７に記載の方法。
【請求項１９】
前記第１の期間は、前記第２期間以下である、請求項１８に記載の方法。
【請求項２０】
パワードメインのパワーダウンが、起こることができることを示すアサートされたパワーダウンインジケータについて前記ポータブルデバイスの状況を監視することと、
アサートされたパワーダウンインジケータに応じてパワードメインの前記パワーダウンを開始するためにパワーダウンイベントを生成することと、
をさらに備える請求項１７に記載の方法。
【発明の詳細な説明】
【開示の分野】
【０００１】
本開示は、大まかに集積回路および処理システムにおける電源制御の分野に関し、そしてより詳細には動的な電源急落中にバイパスキャパシタに蓄えられたエネルギの保存に関する。
【背景】
【０００２】
セル電話、ラップトップコンピュータ、パーソナルデータアシスタント（ＰＤＡ）など、多数のポータブル製品は、通信プログラムやマルチメディアプログラムなどのプログラムを実行するプロセッサを利用する。そのような製品についての処理システムは、命令およびデータを処理するためのプロセッサ複合体を含むことができる。そのようなポータブル製品、他のパーソナルコンピュータなどの機能的な複雑さは、高性能プロセッサとメモリとを必要とする。同時に、ポータブル製品は、バッテリの形態の限られたエネルギ源を有し、そして多くの場合に、機能要件を満たし、そしてバッテリ寿命を増大させるために、低下されたパワーレベルで高い処理性能を提供することが必要とされる。多数のパーソナルコンピュータはまた、全体的なエネルギ消費を低減するために低い電力損失で高性能を提供するために開発されてもいる。
【０００３】
電子複合体の内部には、イメージ処理、ビデオ処理、オーディオ処理、通信信号処理のためのサブシステムや、連続的なオペレーションを必要としない機能など、特定の機能のためだけに動作することができる回路とサブシステムとがある。電子複合体を機能パワードメインへと分割することにより、様々な回路とサブシステムとは、別々に電力を供給されることができ、そして電源電圧は、特定のパワードメインの機能オペレーションが現在必要とされないときに、急落させられることができる。
【０００４】
各機能パワードメインは、電源電圧上のノイズを低減するためにバイパスキャパシタを使用することができる。供給電圧を急落させる１つの結果は、バイパスキャパシタンスが放電され、それによってパワードメインが、動作電圧レベルまで戻されるときに、これらのバイパスキャパシタを充電するために追加の電力使用を必要とすることである。
【発明の概要】
【０００５】
本発明は、プロセッサ複合体における電力要件を低減することは、ポータブルアプリケーションにとって、そして一般に処理システムにおける電力使用を低減するために重要であることを認識している。電源電圧が急落させられるときにバイパスキャパシタに蓄えられたエネルギを保存することは、バイパスキャパシタを再充電する必要性を低減し、それによって電力を節約することも認識される。そのような目的のために、本発明の一実施形態は、ポータブルデバイスにおいて電力を節約する装置に対処している。本装置は、バイパスキャパシタと、スイッチ可能な出力供給電圧を有する電源と、その出力供給電圧に結合され、そして出力供給電圧にフィルタをかけるように動作可能なバイパスキャパシタを有する、ポータブルデバイスの負荷回路と、を含む。トランジスタスイッチは、トランジスタスイッチが、ディスエーブルにされるときに負荷回路を通してバイパスキャパシタの放電経路を切り離すように動作可能である。さらに、コントローラは、バイパスキャパシタに蓄えられたエネルギを保存するために出力供給電圧とトランジスタスイッチとをオフにするように動作可能である。
【０００６】
別の実施形態は、ポータブルデバイスにおいて負荷回路のバイパスキャパシタに蓄えられたエネルギを保存する方法に対処している。負荷回路に対する第１の信号は、負荷回路をリセット状態に保持するためにアサートされる(asserted)。負荷回路に対して電圧を供給するために使用される電圧源は、第１の信号のアサートすることに続く第１の期間の後にディスエーブルにされる。バイパスキャパシタは、負荷回路を通してのバイパスキャパシタの放電を最小にするために、第１の信号のアサートすることに続く第２の期間の後に負荷回路から切り離される。このプロセスによってバイパスキャパシタに蓄えられたエネルギは、保存される。
【０００７】
さらなる一実施形態は、ポータブルデバイスにおける回路の複数のパワードメインに関連する複数のバイパスキャパシタに蓄えられたエネルギを保存するための方法に対処している。１つまたは複数のパワーダウンイベント(power down events)は、１つまたは複数のパワードメインについて別々に生成される。パワーダウンされるべき１つまたは複数のパワードメインは、パワーダウンイベントに応じて、制御された非機能状態に保持される。パワーダウンされるべき１つまたは複数のパワードメインに関連するバイパスキャパシタは、それらの関連する負荷から切り離され、そしてパワーダウンされるべき１つまたは複数のパワードメインに対する供給電圧は、ディスエーブルにされる。
【０００８】
本発明の他の実施形態は、以下の詳細な説明から当業者には簡単に明らかになることになり、ここで本発明の様々な実施形態は、例証として示され、そして説明されることが、理解される。実現されることになるように、本発明は、他の実施形態および異なる実施形態について可能であり、そしてそのいくつかの詳細は、様々な他の点で、すべて本発明から逸脱することなく、修正が可能である。したがって、図面と詳細な説明とは、本質的に例証と見なされるべきであり、限定的であると見なされるべきではない。
【図面の簡単な説明】
【０００９】
【図１】図１は、ワイヤレス通信システムを示している。
【図２】図２は、モバイル電話などのモバイルデバイスにおいて使用されることができるバイパス電荷節約(bypass charge saving)（ＢＣＳ）回路の例示の第１の実施形態である。
【図３】図３は、図２のＢＣＳ回路の信号オペレーションの第１タイミング図を示している。
【図４】図４は、図２のＢＣＳ回路の信号オペレーションの第２タイミング図を示している。
【図５】図５は、ＢＣＳ回路の例示の第２の実施形態である。
【図６】図６は、図５のＢＣＳ回路の信号オペレーションのタイミング図を示している。
【図７】図７は、ＢＣＳ回路の例示の第３の実施形態である。
【図８】図８は、ＢＣＳ回路の例示の第４の実施形態である。
【図９Ａ】図９Ａは、コントローラサブシステムの例示の第１の実施形態である。
【図９Ｂ】図９Ｂは、コントローラサブシステムの例示の第２の実施形態である。
【図９Ｃ】図９Ｃは、図９Ａのコントローラサブシステムの信号オペレーションの例示のタイミング図を示している。
【図１０】図１０は、マルチＢＣＳ回路の例示の一実施形態である。
【図１１】図１１は、コントローラサブシステムの例示の第３の実施形態である。
【図１２】図１２は、ＢＣＳ回路についてのオペレーションのフローチャートである。
【詳細な説明】
【００１０】
添付の図面に関連して下記に述べられる詳細な説明は、本発明の様々な例示の実施形態の説明として意図され、そして本発明が実行されることができる唯一の実施形態を表すようには意図されない。詳細な説明は、本発明の完全な理解を提供する目的のための特定の詳細を含んでいる。しかしながら、本発明が、これらの特定の詳細なしに実行されることができることは、当業者にとって明らかであろう。いくつかの例においては、よく知られている構造およびコンポーネントは、本発明の概念をあいまいにすることを回避するためにブロック図形式で示される。
【００１１】
図１は、本発明の一実施形態が、有利に使用されることができる例示のワイヤレス通信システム１００を示している。例証の目的のために、図１は、３つのリモートユニット１２０、１３０、および１５０と、２つの基地局１４０と、を示している。一般的なワイヤレス通信システムは、もっと多数のリモートユニットと基地局とを有することができることが、認識されるであろう。リモートユニット１２０、１３０、および１５０は、下記にさらに論じられるように、本発明を実施するように適合されている、それぞれコンポーネント１２５Ａ、１２５Ｃ、および１２５Ｂによって表されるような、ハードウェアコンポーネント、ソフトウェアコンポーネント、あるいはその両方を含む。図１は、基地局１４０からリモートユニット１２０、１３０、および１５０への順方向リンク信号１８０と、リモートユニット１２０、１３０、および１５０から基地局１４０への逆方向リンク信号１９０と、を示している。
【００１２】
図１において、リモートユニット１２０は、モバイル電話として示され、リモートユニット１３０は、ポータブルコンピュータとして示され、そしてリモートユニット１５０は、ワイヤレスローカルループシステムにおける固定ロケーションリモートユニットとして示される。例として、リモートユニットは、代わりに、セル電話、ページャ、ウォーキートーキー、ハンドヘルドパーソナル通信システム（ＰＣＳ）ユニット、パーソナルデータアシスタントなどのポータブルデータユニット、あるいはメーター読み取り装置などの固定ロケーションデータユニットとすることができる。けれども図１は、本開示の教示によるリモートユニットを示しているが、本開示は、これらの例示の示されたユニットだけに限定されるものではない。本発明の実施形態は、プロセッサと、そのサポートする周辺デバイスとに電力を供給するために使用されることができるなど、スイッチ可能な電圧源と、１つまたは複数のバイパスキャパシタを有する負荷回路とを有する任意のデバイスの中で適切に使用されることができる。
【００１３】
図２は、モバイル電話などのリモートユニット１２０の中で使用されることができるバイパス電荷節約（ＢＣＳ）回路２００の例示の第１の実施形態である。ＢＣＳ回路２００は、バッテリ２０４などの電源と、電圧レギュレータ２０６と、トランジスタスイッチ２０８と、プロセッサ複合体などの負荷回路２１０と、バイパスキャパシタ２１２や２１４などの１つまたは複数のバイパスキャパシタと、コントローラ２１６と、を備える。バッテリ２０４は、トランジスタスイッチ２０８によって負荷回路２１０に結合される、スイッチ可能に制御され、そして調整される供給電圧２２２を生成する電圧レギュレータ２０６に電圧２２０を供給する。バイパスキャパシタ２１２および２１４は、負荷回路２１０を用いてノイズ干渉を最小にするように供給電圧２２２にフィルタをかける。例えば、バイパスキャパシタ２１２および２１４は、４６マイクロファラッド（μＦ）の組み合わされたキャパシタンスを有することができる。別の例においては、２２μＦと、２２μＦと、４．７μＦと、４．７μＦというキャパシタンス値を有する４つのバイパスキャパシタを使用するなどして、２つ以上のバイパスキャパシタが、使用されることができる。コントローラ２１６は、パワーリセット信号２２４を負荷回路２１０へと、電圧レギュレータ（Ｖｒｅｇ）イネーブル信号２２６を電圧レギュレータ２０６へと、そしてバイパス信号２３０をトランジスタスイッチ２０８へと、供給する。トランジスタスイッチ２０８は、負荷回路２１０のオペレーションが必要とされなくてもよいときに、電源が、電力を節約するために急落させられることができるときに、バイパスキャパシタ２１２および２１４上に蓄えられたエネルギを保存するために使用される。パワーリセット信号２２４と、電圧レギュレータイネーブル信号２２６と、バイパス信号２３０との間のタイミングを制御することにより、コントローラ２１６は、バイパスキャパシタ２１２および２１４の中で節約されるエネルギの量を制御することが可能である。電圧レギュレータ２０６は、負荷回路２１０と、バイパスキャパシタ２１２および２１４とに対する突入電流を制限するように供給電圧２２２を制御することができることにも注意すべきである。
【００１４】
コントローラ２１６は、供給電圧２２２とは独立な電源が別に供給され、そして負荷供給電圧２３２が、負荷回路２１０を適切に動作させるのに十分な電圧レベルに到達するまで、負荷回路２１０をリセットに保持する。バッテリ２０４は、再充電可能バッテリなど、様々なタイプのものとすることができる。電圧レギュレータ２０６は、ポータブルデバイスの外部の電圧源から入力電圧を受け取ることができ、ここで入力電圧は、再充電されたバッテリと同じ電圧レベルであることに、さらに注意すべきである。
【００１５】
図３は、図２のＢＣＳ回路２００の信号オペレーションの第１タイミング図３００を示している。第１タイミング図３００は、例えば、負荷２１０に対して電圧をオンにすることと、ある期間にわたって負荷を動作させることと、次いで負荷２１０に対して電圧をオフにすることと、を示している。図３に示される例のシナリオにおいては、バイパスキャパシタ２１２および２１４は、負荷２１０に対する電圧がオンにされるときに充電され、そして負荷２１０に対する電圧がオフにされるときに放電することが可能にされる。
【００１６】
負荷回路２１０に対して供給電圧２３２をもたらすことに先立って、コントローラ２１６は、負荷供給電圧２３２が、通常の動作電圧レベルになるまで、負荷回路２１０をリセット状態に保持するために、高電圧レベルにおいて、そして相対的な時刻ゼロにおいて示されるパワーリセット信号２２４をアサートする。次いで、コントローラ２１６は、電圧レギュレータに、その出力電圧を望ましい電圧まで立ち上がるようにさせる電圧レギュレータ（Ｖｒｅｇ）イネーブル信号２２６をアサートする。一般に、電圧レギュレータ２０６は、Ｖｒｅｇイネーブル信号２２６などの外部信号によって制御されるように、オンまたはオフのいずれかである。一例のシナリオにおいては、コントローラは、Ｖｒｅｇイネーブル信号２２６と同時にバイパス信号２３０をもたらすこともする。負荷供給電圧２３２が、通常の動作電圧レベルに到達した後に、コントローラ２１６は、リセット信号をオフにし、それによって負荷回路２１０のオペレーションをイネーブルにする。
【００１７】
負荷供給電圧２３２は、例えば、２３２とラベル付けされたポイントにおける電圧を測定することにより、あるいは一般に供給電圧をもたらすことを明らかにする時間３０２を割り付けることにより、通常の動作電圧レベルにあることが決定されることができる。次いで、負荷回路２１０は、負荷回路２１０の機能が必要とされないときなど、負荷回路２１０に対する電力がオフにされるべきであることが決定されるまで、期間３０４にわたって動作することができる。負荷供給電圧２３２をオフにするために、先ずパワーリセット信号２２４が、アサートされ、そして期間３０６の後にＶｒｅｇイネーブル信号２２６が、オフにされる。Ｖｒｅｇ信号２２６がオフにされることに応じて、電圧レギュレータ２０６は、オフになり、そしてバイパスキャパシタ２１２および２１４に保持される電圧は、負荷回路２１０を通して消散する。消散曲線３０８は、指数関数の放電曲線に類似しているが、放電曲線は、負荷回路２１０の中で使用される回路に応じて変化することができる。さらに、制御信号電圧２２４および２３０は、例えば、信号が電圧ドメインに交差するときなどに使用される、制御信号と共に使用されるクランピング回路または他の回路に起因して、負荷供給電圧２３２と共に減衰することができる。負荷回路２１０が、オンに戻されるときに、バイパスキャパシタ２１２および２１４は、再充電することになり、そしてバイパスキャパシタの充電は、ＢＣＳ回路２００の中で利用される電力の１％以上を占める可能性があることに注意すべきである。
【００１８】
図４は、図２のＢＣＳ回路２００の信号オペレーションの第２タイミング図４００を示している。第２タイミング図４００は、例えば、負荷回路２１０のオペレーションが必要とされないときに電力を保存するために負荷回路の利用に応じて負荷回路２１０に対して電圧をオンおよびオフにすることを示している。例えば、負荷回路２１０が、図１のリモートユニット１２０などのデバイスを構成する複数のプロセッサ複合体のうちの１つであり、そして負荷回路２１０が、リモートユニット１２０上のカメラからのイメージ処理など、特定の機能をサポートする場合、そのときには、例えば、電力は、カメラスナップショットの間に負荷回路２１０に循環させられることができる。供給電圧２２２をもたらすことと、負荷回路２１０に対する結合をイネーブルにすることとに先立って、コントローラ２１６は、負荷供給電圧２３２が、通常の動作電圧レベルになるまで負荷回路２１０をリセット状態に保持するためにパワーリセット信号２２４をアクティブにする。次いで、コントローラ２１６は、供給電圧２２２をオンにし、そして線上にもたらすために電圧レギュレータ（Ｖｒｅｇ）イネーブル信号２２６をアサートする。コントローラ２１６はまた、負荷供給電圧２３２をもたらすトランジスタスイッチ２０８をオンにするためにバイパス信号２３０をアクティブにする。負荷供給電圧２３２が、通常の動作電圧レベルに到達した後に、コントローラ２１６は、パワーリセット信号２２４をオフにし、それによって負荷回路２１０のオペレーションをイネーブルにする。
【００１９】
負荷供給電圧２３２は、例えば、２３２とラベル付けされた負荷供給電圧ポイントにおける電圧を測定することにより、あるいは一般に供給電圧をもたらすことを明らかにする期間４０２を割り付けることにより、通常の動作電圧レベルにあることが決定されることができる。次いで、負荷回路２１０は、負荷回路２１０または代替回路（図示されず）が、負荷回路２１０に対して電力がオフにされるべきであることを決定するまで、期間４０４にわたって動作することができる。例えば、代替実施形態においては、負荷回路２１０は、負荷回路２１０に対する電力がオフにされることができることを示すためにパワーダウン要求信号２３６をコントローラ２１６に対してアサートすることができる。この代替実施形態においては、負荷回路２１０は、プロセッサ複合体がアイドル動作状態(idle operating state)にあるときに、パワーダウン要求信号２３６をアサートするプロセッサ複合体から構成されることができる。
【００２０】
負荷供給電圧２３２をオフにするために、パワーリセット信号２２４が、アサートされ、そして第１期間４０６の後に、バイパス信号２３０が、オフにされ、そして第２期間４０８の後に、Ｖｒｅｇイネーブル信号２２６もまた、オフにされる。このポイントにおいて、トランジスタスイッチ２０８と電圧レギュレータ２０６との両方は、オフにされており、そしてバイパスキャパシタ２１２および２１４に蓄えられたエネルギは、保存される。パワーリセット信号２２４と、電圧レギュレータイネーブル信号２２６と、バイパス信号２３０との間のタイミングを制御することにより、コントローラ２１６は、バイパスキャパシタの中で節約されるエネルギの量を制御することが可能である。例えば、バイパス信号２３０がオフにされることに先立って、Ｖｒｅｇイネーブル信号２２６が、オフにされる場合、バイパスキャパシタ２１２および２１４は、放電し始めることができる。Ｖｒｅｇイネーブル信号２２６と、バイパス信号２３０とをオフにする間の時間が短く保たれる場合、バイパスキャパシタに蓄えられた最小のエネルギだけが、この状況においてさえ失われる可能性があり、そして依然としてエネルギ保存についての利点を提供することができる。
【００２１】
トランジスタスイッチ２０８が、オフにされた後に、負荷供給電圧２３２は、消散曲線４１２によって示されるように、負荷回路２１０を通して消散される。供給電圧２２２の消散曲線４１４は、トランジスタスイッチ２０８と電圧レギュレータ２０６の内部回路との非理想的特性と、バイパスキャパシタ２１２および２１４の合計キャパシタンスと、それらのキャパシタの自己消散との関数である。放電経路のないバイパスキャパシタは、２秒以上にわたって電圧値を通常の動作電圧に近く保持することができ、それによってそこに蓄えられたエネルギを保存する。負荷回路２１０の動作特性は、それが、期間４１６など、２秒よりも短い期間の中でオンおよびオフにされるようにすることができる。バイパスキャパシタ上に蓄えられたエネルギを節約することにより、ＢＣＳ回路２００の中で利用される電力の１パーセント以上が、節約されることができる。
【００２２】
図５は、ＢＣＳ回路５００の例示の第２の実施形態である。ＢＣＳ回路５００は、図２のＢＣＳ回路２００に類似しており、それらの違いのうちの１つは、バイパスキャパシタの放電経路を中断するトランジスタスイッチの配置である。ＢＣＳ回路２００においては、トランジスタスイッチ２０８は、負荷回路２１０に対して供給電圧２２２を切り離すことにより、バイパスキャパシタの放電経路を制御可能に切り離すように配置される。ＢＣＳ回路５００においては、トランジスタスイッチ５０８は、供給電圧５２２に対するバイパスキャパシタの結合を切り離すことにより、バイパスキャパシタの放電経路を制御可能に切り離すように配置される。一般に、ＢＣＳ回路５００は、ＢＣＳ回路５００のインプリメンテーションのために必要に応じて、バッテリ５０４などの電圧源と、電圧レギュレータ５０６と、負荷回路５１０と、コントローラ５１６と、トランジスタスイッチ５０８と、を有することができる。
【００２３】
図６は、コントローラ５１６によって供給されるタイミング信号と供給電圧５２２およびバイパス電圧５３２の関係を示す図５のＢＣＳ回路５００の信号オペレーションのタイミング図６００を示している。図５において、パワーリセット信号５２４と、Ｖｒｅｇイネーブル信号５２６と、バイパス信号５３０とのタイミングは、図４のタイミング図４００に示されるタイミングに類似している。図６に示されるように、供給電圧５２２は、一般に消散曲線６０２などの指数関数曲線に従って放電するが、バイパス電圧５３２は、消散曲線６１２で示されるように、期間６１４中に元の供給電圧の近くに留まる。バイパス電圧５３２の消散曲線６１２は、主として、トランジスタスイッチ５０８の非理想的特性と、バイパスキャパシタ５１２および５１４の合計キャパシタンスと、それらのキャパシタの自己消散との関数である。
【００２４】
図７は、例示の第３の実施形態のＢＣＳ回路７００である。ＢＣＳ回路７００は、図２のＢＣＳ回路２００に類似しており、それらの違いのうちの１つは、バイパスキャパシタの放電経路を中断するトランジスタスイッチの配置である。例えば、いくつかのトランジスタスイッチは、低い電圧とは逆に高い電圧では、より効率的に動作する。そのようなトランジスタスイッチと共に、ＢＣＳ回路２００は、使用されることができる。より低い電圧で、より効率的に動作するトランジスタでは、ＢＣＳ回路７００が、使用されることができる。トランジスタスイッチ７０８は、負荷回路７１０に対する接地接続を制御可能に切り離すために負荷回路７１０の「最下部」に配置される。負荷回路７１０に対する接地接続を切り離すことにより、トランジスタスイッチ７０８は、バイパスキャパシタ７１２および７１４に蓄えられたエネルギについてのバイパスキャパシタの放電経路も切り離す。図７においては、パワーリセット信号７２４と、Ｖｒｅｇイネーブル信号７２６と、バイパス信号７３０とのタイミングは、図４のタイミング図に示される対応する信号タイミングと同様に留まる。供給電圧７２２は、同様にして、図４に示されるような、図２の供給電圧２２２のタイミングに従う。一般に、ＢＣＳ回路７００は、ＢＣＳ回路７００のインプリメンテーションのために必要に応じて、バッテリ７０４などの電圧源と、電圧レギュレータ７０６と、負荷回路７１０と、コントローラ７１６と、トランジスタスイッチ７０８と、を有することができる。
【００２５】
図８は、ＢＣＳ回路８００の例示の第４の実施形態である。ＢＣＳ回路８００は、図２のＢＣＳ回路２００に類似しており、それらの違いのうちの１つは、バイパスキャパシタの放電経路を中断するトランジスタスイッチの配置である。ＢＣＳ回路８００においては、トランジスタスイッチ８０８は、キャパシタに対する接地接続を切り離すことにより、バイパスキャパシタの放電経路を制御可能に切り離すように配置される。図８において、パワーリセット信号８２４と、Ｖｒｅｇイネーブル信号８２６と、バイパス信号８３０とのタイミングは、図４に示される対応する信号のタイミング図に類似している。供給電圧８２２は、同様にして、図４に示されるような、図２の供給電圧２２２のタイミングに従う。信号ポイント８３４は、トランジスタスイッチ８０８がオフにされるときに、負荷回路８１０に対して電力を供給するときの供給電圧８２２に匹敵する大きさの負電圧へと遷移する。一般に、ＢＣＳ回路８００は、ＢＣＳ回路８００のインプリメンテーションのために必要に応じて、バッテリ８０４などの電圧源と、電圧レギュレータ８０６と、負荷回路８１０と、コントローラ８１６と、トランジスタスイッチ８０８と、を有することができる。
【００２６】
コントローラ２１６、５１６、７１６、および８１６のおのおのは、負荷に対するリセット信号と、電圧レギュレータのイネーブルと、バイパスキャパシタの結合とを制御する信号のタイムシーケンスを提供する。含まれる制御信号の間の時間遅延の値は、電圧レギュレータと、負荷回路と、バイパスキャパシタンスとの詳細に依存する。コントローラの目的のうちの１つは、電力を保存するために負荷回路に対する供給電圧のパワーアップ遷移とパワーダウン遷移とを制御するための適切なタイムシーケンスにおける１組の制御信号を供給することである。コントローラの制御機能は、いくつかのやり方でインプリメントされることができる。例えば、制御機能は、特定の負荷回路のパワーシーケンスを制御するためにパワーアップされ続ける別のプロセッサ上で実行されるソフトウェアコントローラアルゴリズムとしてインプリメントされることができる。代わりに、コントローラは、コンパレータ、インダクタ、抵抗、キャパシタ、論理ゲートなどの非プログラマブル回路要素を使用してインプリメントされることもできる。また、コントローラは、各負荷回路について１つまたは複数のコントローラから切り離された電圧レギュレータによって電力供給されることもできる。コントローラは、代わりに、バッテリから直接に電力供給され、そして３．４ボルトから４．４ボルトなど、典型的なバッテリ電圧から動作することができるアナログ回路およびデジタル回路から構成されることができる。
【００２７】
図９Ａは、コントローラサブシステム９００の例示の第１の実施形態である。第１のコントローラサブシステム９００は、電圧レギュレータ９０２と、コントローラ２１６、５１６、７１６、８１６などのコントローラ回路９０４と、から構成される。コントローラ回路は、３つの順に結合された遅延要素、遅延Ｔ１  ９０６、遅延Ｔ２  ９０８、および遅延Ｔ３  ９１０と、論理ゲート、ＮＡＮＤゲート９１２、ＯＲゲート９１４およびＡＮＤゲート９１６と、をさらに備える。
【００２８】
コントローラ回路９０４を動作させるために、電源電圧９１８が、供給電圧９２０をコントローラ回路９０４に供給する電圧レギュレータ９０２のための電源として、例えば、バッテリによって供給される。コントローラ回路９０４は、コントローラ回路９０４の制御の下に特定の負荷回路のパワーアップシーケンスおよびパワーダウンシーケンスを開始する別の回路からパワー制御信号９２２を受け取る。パワー制御信号９２２は、遅延Ｔ１信号９２４と、遅延Ｔ２信号９２６と、遅延Ｔ３信号９２８とを生成する３つの遅延要素を通して進む。ＮＡＮＤゲート９１２は、図２のパワーリセット信号２２４などのパワーリセット信号９３０を生成するために、入力としてパワー制御信号９２２と、遅延Ｔ３信号９２８とを受け取る。ＯＲゲート９１４は、図２のＶｒｅｇイネーブル信号２２６などの電圧レギュレータ（Ｖｒｅｇ）イネーブル信号９３２を生成するために、入力として遅延Ｔ１信号９２４と、遅延Ｔ２信号９２６とを受け取る。ＡＮＤゲート９１６は、図２のバイパス信号２３０などのバイパス信号９３４を生成するために、入力として遅延Ｔ１信号９２４と、遅延Ｔ２信号９２６とを受け取る。
【００２９】
図９Ｂは、コントローラサブシステム９４０の例示の第２の実施形態である。第２のコントローラサブシステム９４０は、電圧レギュレータ９４２と、コントローラ回路９４４とから構成される。コントローラ回路９４４は、３つの並列な遅延要素、遅延Ｔ１  ９４６、遅延Ｔ２  ９４８、および遅延Ｔ３  ９５０と、論理ゲート、ＮＡＮＤゲート９５２、ＯＲゲート９５４およびＡＮＤゲート９５６と、をさらに備える。
【００３０】
コントローラ回路９４４を動作させるために、電源電圧９５８が、供給電圧９６０をコントローラ回路９４４に供給する電圧レギュレータ９４２のための電源として、例えば、バッテリによって供給される。コントローラ回路９４４は、コントローラ回路９４４の制御の下に特定の負荷回路のパワーアップシーケンスおよびパワーダウンシーケンスを開始する別の回路からパワー制御信号９６２を受け取る。パワー制御信号９６２は、遅延Ｔ１信号９６４と、遅延Ｔ２信号９６６と、遅延Ｔ３信号９６８とを生成する３つの遅延要素を通して進む。ＮＡＮＤゲート９５２は、図２のパワーリセット信号２２４などのパワーリセット信号９７０を生成するために、入力としてパワー制御信号９６２と、遅延Ｔ３信号９６８とを受け取る。ＯＲゲート９５４は、図２のＶｒｅｇイネーブル信号２２６などの電圧レギュレータ（Ｖｒｅｇ）イネーブル信号９７２を生成するために、入力として遅延Ｔ１信号９６４と、遅延Ｔ２信号９６６とを受け取る。ＡＮＤゲート９５６は、図２のバイパス信号２３０などのバイパス信号９７４を生成するために、入力として遅延Ｔ１信号９６４と、遅延Ｔ２信号９６６とを受け取る。
【００３１】
図９Ｃは、図９Ｂのコントローラサブシステム９４０の信号オペレーションの例示のタイミング図９７５を示している。この例においては、コントローラ回路９４４は、負荷回路２１０などの負荷回路が、電源オンされ、あるいは電源急落される前や、その間に、そしてその後にパワーアップされる。例示のタイミング図９７５は、負荷回路のパワーアップ中および動的電源急落中の制御信号オペレーションを示している。
【００３２】
パワー制御信号９６２は、タイミングポイント９７６においてアサートされる。時間遅延Ｔ１  ９７８の後に、遅延Ｔ１信号９６４は、アサートされる。時間遅延Ｔ２  ９８０の後に、遅延Ｔ２信号９６６は、アサートされ、そして時間遅延Ｔ３  ９８２の後に、遅延Ｔ３信号９６８は、アサートされる。Ｖｒｅｇイネーブル信号９７２は、関係線９８４によって示されるように遅延Ｔ１信号９６４に応じてアサートされる。バイパス信号９７４は、関係線９８６によって示されるように遅延Ｔ２信号９６６に応じてアサートされる。パワーリセット信号９７０は、関係線９８８によって示されるように遅延Ｔ３信号９６８に応じて非アクティブにされる。この例示のタイミング図９７５において、Ｖｒｅｇイネーブル信号９７２は、最初にアサートされ、バイパス信号９７４によって追随され、そして次いでパワーリセット信号９７０は、非アクティブにされる。負荷回路の正しいオペレーションを可能にすることになる時間遅延期間Ｔ１、Ｔ２、およびＴ３上には多数の変化が存在する。例えば、時間遅延Ｔ１  ９７８と、時間遅延Ｔ２  ９８０とは、共にゼロに近く、またはゼロに等しくすることができ、そして時間遅延Ｔ３  ９８２は、負荷回路２１０の通常の動作電圧に到達するために、図２の負荷供給電圧２３２などの負荷供給電圧でかかる時間に等しく設定されることができる。
【００３３】
シャットダウンシナリオ中に、パワー制御信号９６２は、タイミングポイント９９０において非アクティブにされる。遅延Ｔ１信号９６４と、遅延Ｔ２信号９６６と、遅延Ｔ３信号９６８とは、おのおの、パワー制御信号９６２の非アクティブ化に続いて、それぞれ時間遅延Ｔ１  ９７８と、時間遅延Ｔ２  ９８０と、時間遅延Ｔ３  ９８２とによって遅延させられる。パワーリセット信号９７０は、関係線９９２によって示されるように、最初にアクティブにされる。バイパス信号９７４は、関係線９９４によって示されるように、次に非アクティブにされ、そしてＶｒｅｇイネーブル信号９７２は、関係線９９６によって示されるように、次に非アクティブにされる。この例示のシーケンスにおいては、負荷回路は、制御された非機能状態としてリセット状態に入り、バイパスキャパシタは、それらの放電経路から切り離され、そして供給電圧が、パワーダウンされる。負荷回路の正しいオペレーションと、バイパスキャパシタに蓄えられたエネルギを保存することとを可能にすることになる時間遅延期間Ｔ１、Ｔ２、およびＴ３上には多数の変化が存在する。例えば、遅延Ｔ２  ９４８は、依然としてバイパスキャパシタに電力を保存しながら、遅延Ｔ１  ９４６によって提供される時間遅延以下に設定されることができる。負荷回路は、最初にリセット状態に置かれ、そしてこれに続いてＶｒｅｇイネーブル信号９７２と、バイパス信号９７４とが、生成されることができることにも注意すべきである。この代替シナリオにおいては、パワーリセット信号９７０のアサーションに続くＶｒｅｇイネーブル時間遅延が、使用されることができる。同様にして、パワーリセット信号９７０のアサーションに続くバイパス時間遅延もまた、使用されることができる。Ｖｒｅｇイネーブル時間遅延と、バイパス時間遅延とは、それぞれ時間遅延Ｔ１  ９７８と、時間遅延Ｔ２  ９８０とに関係づけられるが、図９ＢのＮＡＮＤゲート９５２、または図９ＡのＮＡＮＤゲート９１２に起因して増大された存続時間を有する。ＮＡＮＤゲート遅延は、約５０ピコ秒とすることができるので、そのような遅延の増大は、パワーシーケンスのタイミングの目的のために無視できるものと考えられることができる。
【００３４】
図１０は、マルチＢＣＳ回路１０００の例示の一実施形態である。マルチＢＣＳ回路１０００は、バッテリ１００２などの電源と、プロセッサＢＣＳ回路１００６、通信ＢＣＳ回路１００８、ビデオＢＣＳ回路１０１０など、複数のＢＣＳ回路をサポートするように分割されたマルチ電圧レギュレータ回路１００４と、を備える。プロセッサＢＣＳ回路１００６は、プロセッサ負荷（Ｐ−負荷）電圧レギュレータ１０１２と、プロセッサバイパス（Ｐｂｙｐａｓｓ）トランジスタ１０１４と、Ｐ−負荷１０１６と、バイパスキャパシタ１０１７および１０１８と、マルチコントローラ（ＭＣ）１０２０の一部分であるプロセッサコントローラ（Ｐ−Ｃｔｌ）１０１９と、を備える。通信ＢＣＳ回路１００８は、通信負荷（Ｃ−負荷）電圧レギュレータ１０２２と、通信バイパス（Ｃｂｙｐａｓｓ）トランジスタ１０２４と、Ｃ−負荷１０２６と、バイパスキャパシタ１０２７および１０２８と、ＭＣ１０２０の一部分である通信コントローラ（Ｃ−Ｃｔｌ）１０２９と、を備える。ビデオＢＣＳ回路１０１０は、ビデオ負荷（Ｖ−負荷）電圧レギュレータ１０３２と、ビデオバイパス（Ｖｂｙｐａｓｓ）トランジスタ１０３４と、Ｖ−負荷１０３６と、バイパスキャパシタ１０３７および１０３８と、ＭＣ１０２０の一部分であるビデオコントローラ（Ｖ−Ｃｔｌ）１０３９と、を備える。それぞれＰ−負荷電圧レギュレータ１０１２、Ｃ−負荷電圧レギュレータ１０２２、およびＶ−負荷電圧レギュレータ１０３２から切り離されたマルチコントローラ電圧レギュレータ（ＭＣ  Ｖｒｅｇ）１０４０は、ＭＣ１０２０に電力供給する。プロセッサＢＣＳ回路１００６と、通信ＢＣＳ回路１００８と、ビデオＢＣＳ回路１０１０とは、図２の第１のＢＣＳ回路２００に類似したＢＣＳ回路を用いて示されているが、図１０の３つの示されたＢＣＳ回路は、共通のバッテリ１００２を共用することと、ＢＣＳ回路の異なる実施形態が、示されたものの代わりに、あるいはそれに追加して使用されることができることとに注意すべきである。
【００３５】
動作中に、Ｐ−Ｃｔｌ１０１９は、図９Ｃのタイミング図９７５に示される信号タイミングと同様にして、プロセッサリセット（Ｐｒｅｓｅｔ）信号１０４４と、プロセッサバイパス（Ｐｂｙｐａｓｓ）信号１０４５と、Ｐ−負荷電圧レギュレータイネーブル（Ｐｅｎａｂｌｅ）信号１０４６と、を生成する。Ｃ−Ｃｔｌ１０２９は、図９Ｃのタイミング図９７５に示される信号タイミングと同様にして、通信リセット（Ｃｒｅｓｅｔ）１０４８と、通信バイパス（Ｃｂｙｐａｓｓ）信号１０４９と、Ｃ−負荷電圧レギュレータイネーブル（Ｃｅｎａｂｌｅ）信号１０５０と、を生成する。また、Ｖ−Ｃｔｌ１０３９は、図９Ｃのタイミング図９７５に示される信号タイミングと同様にして、ビデオリセット（Ｖｒｅｓｅｔ）１０５２と、ビデオバイパス（Ｖｂｙｐａｓｓ）信号１０５３と、Ｖ−負荷電圧レギュレータイネーブル（Ｖｅｎａｂｌｅ）信号１０５４と、を生成する。
【００３６】
ＢＣＳ回路から切り離されたウォッチドッグコントローラ（Ｗ）１０４２は、様々な負荷を監視するために、そしてシステムの中で、あるいは様々な負荷の内部で生成されるようなフィードバック信号に基づいて、各負荷についてのパワー制御信号を生成するために使用される。例えば、ビデオＢＣＳ回路１０１０は、コンポーネント１２５Ａの中にビデオＢＣＳ回路を有する、図１のリモートユニット１２０などのデバイスをオペレーションのビデオモードに置くとすぐにパワーアップすることが必要とされる可能性がある。ビデオＢＣＳ回路１０１０は、それがアイドルモードのオペレーションにあること、あるいはビデオモードが、例えば、リモートユニット１２０上でディスエーブルにされており、そしてパワーダウンが、電力を節約するために適している可能性があること、を示すために別の信号を生成することもできる。そのような入力に基づいて、ウォッチドッグコントローラ１０４２は、必要とされるパワーアップシーケンスまたはパワーダウンシーケンスを開始するＶ−Ｃｔｌ１０３９に対して、図９Ｂのパワー制御信号９６２などのパワー制御信号を発行することができる。ウォッチドッグコントローラ１０４２は、各負荷のパワーシーケンスの別々の制御を可能にするＭＣ  Ｖｒｅｇ１０４０から電力供給されることに注意すべきである。
【００３７】
図１１は、コントローラサブシステム１１００の例示の第３の実施形態である。第３のコントローラサブシステム１１００は、電圧レギュレータ１１０２と、コントローラ回路１１０４とから構成される。第３のコントローラサブシステム１１００は、負荷回路が、ほぼ同時に遷移するパワーリセット信号１１３０と、Ｖｒｅｇイネーブル信号１１３２と、バイパス信号１１３４とを許容することができるシステムの中で使用される。電圧レギュレータ１１０２は、電源１１８を受け取り、そして供給電圧１１２０を供給する。コントローラ回路１１０４は、パワーリセット信号１１３０を生成するために、パワー制御信号１１１０を反転するインバータ１１０８を備える。また、パワー制御信号１１１０は、Ｖｒｅｇイネーブル信号１１３２など、負荷回路に電力を供給する電圧レギュレータ上のＶｒｅｇイネーブル信号入力ポートに結合されることもできる。パワー制御信号１１１０は、バイパス信号１１３４など、バイパスキャパシタを負荷回路に結合するスイッチのバイパス信号入力ポートに結合されることもできる。Ｖｒｅｇイネーブル信号１１３２と、バイパス信号１１３４とは、それによって互いに１つまたは２つのゲート遅延内にパワーリセット信号１１３０とほぼ同時に遷移することができる。例えば、図９Ｃのパワーリセット９７０で示されるのとは逆極性であるようにパワーリセット信号を指定することができる負荷回路の場合、そのときにはインバータ１１０８は、必要にならないことが、さらに実現される。パワーリセット信号についてのそのような仕様は、負荷回路内でパワー制御信号１１１０をバッファすることと、反転することとによって得られ、そして次いでパワーリセット信号として内部で使用されることができる。別の例においては、システムは、図１０に示されるように複数の負荷回路と、ＢＣＳ回路とから構成されることができる。そのような複数の負荷回路とＢＣＳ回路とのシステムにおいては、負荷のうちの１つは、第３のコントローラサブシステム１１００を使用するように、あるいは代わりにパワーリセット信号１１３０と、Ｖｒｅｇイネーブル信号１１３２と、バイパス信号１１３４との代わりにパワー制御信号を使用するように指定されることができる。
【００３８】
図１２は、図２のＢＣＳ回路２００などのＢＣＳ回路についてのオペレーションのフローチャート１２００である。図２のコンポーネントと、図４のタイミング図４００の中の期間とに対する参照は、ＢＣＳ回路２００についてのオペレーションの例示のシーケンスを説明する際に行われる。ブロック１２０１において、ＢＣＳ回路２００を含む図１のリモートユニット１２０などのデバイスは、リモートユニット１２０上の電源スイッチが押されるときにオンにされる。決定ブロック１２０２において、コントローラ２１６は、負荷回路２１０に対する負荷供給電圧２３２をオンにすべきかどうかを決定する。その電圧がオンにされる準備ができていない場合、コントローラ２１６は、負荷供給電圧２３２がオンにされることができることが決定されるまで待つ。ブロック１２０４において、負荷供給電圧２３２が通常の動作レベルに到達するまで負荷回路２１０をリセットに保持するパワーリセット信号２２４が、アサートされる。ブロック１２０６において、Ｖｒｅｇイネーブル信号２２６と、バイパス信号２３０とが、アサートされる。ブロック１２０８において、そして図４の期間４０２など、指定された時間の後に、パワーリセット信号２２４は、オフにされる。このポイントにおいて、負荷回路２１０は、動作している。
【００３９】
ブロック１２１０において、コントローラ２１６は、負荷供給電圧２３２をオフにすべきかどうかを決定する。例えば、負荷回路２１０についてのさらなる待ち状態の作業のないタスクの完了のすぐ後に、電源は、循環的にオフにされることができる。電圧が、オフにされるべきでない場合、コントローラ２１６は、負荷供給電圧２３２がオフにされるべきことが決定されるまで待つ。ブロック１２１２において、パワーリセット信号２２４は、負荷供給電圧２３２がオフにされている間、負荷回路２１０をリセット状態に保持するためにアサートされる。ブロック１２１４において、そして期間４０６など、指定された時間の後に、バイパス信号２３０は、オフにされる。このポイントにおいて、負荷回路２１０は、バイパスキャパシタ２１２および２１４から切り離されており、バイパスキャパシタの放電経路を切り離し、そしてバイパスキャパシタに蓄えられたエネルギを有利に保存する。ブロック１２１６において、そして第２期間４０８など、指定された時間の後に、Ｖｒｅｇイネーブル信号２２６は、オフにされる。このポイントにおいて、供給電圧２２２は、電圧レギュレータ２０６から切り離されている。ブロック１２０２に戻って、バイパスキャパシタの中の保存されたエネルギは、負荷回路２１０に対する供給電圧をオンにすることが決定されるときに、使用可能である。
【００４０】
ここにおいて開示される実施形態に関連して説明される様々な例示の論理ブロック、モジュール、回路、要素、および／またはコンポーネントは、ここにおいて説明される機能を実行するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックコンポーネント、ディスクリートゲートまたはトランジスタロジック、ディスクリートハードウェアコンポーネント、あるいはそれらの任意の組合せを用いてインプリメントされ、または実行されることができる。汎用プロセッサは、マイクロプロセッサとすることができるが、代替案においてはプロセッサは、従来の任意のプロセッサ、コントローラ、マイクロコントローラ、または状態機械とすることもできる。プロセッサは、コンピューティングコンポーネントの組合せ、例えば、ＤＳＰとマイクロプロセッサとの組合せ、複数のマイクロプロセッサ、ＤＳＰコアと組み合わされた１つまたは複数のマイクロプロセッサ、あるいは望ましいアプリケーションのために適した他のそのような任意のコンフィギュレーション、としてインプリメントされることもできる。
【００４１】
ここにおいて開示される実施形態に関連して説明される方法は、ハードウェアの形で直接に、プロセッサによって実行されるソフトウェアモジュールの形で、あるいはそれら２つの組合せの形で実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野において知られている他の任意の形態のストレージ媒体の中に存在することができる。ストレージ媒体は、プロセッサが、ストレージ媒体から情報を読み取り、そしてストレージ媒体に情報を書き込むことができるように、プロセッサに結合されることができる。代替案においては、ストレージ媒体は、プロセッサと一体化していることもできる。
【００４２】
本発明は、バッテリ電源を有するポータブルユニットとの関連で開示されるが、電子デバイス上のバイパスキャパシタエネルギを保存することなど、多種多様なインプリメンテーションが、上記考察と、添付の特許請求の範囲と整合して当業者によって本発明の技法を使用して、使用されることができることが、認識されるであろう。
【図１】
2010541536.tif 000003
【図２】
2010541536.tif 000004
【図３】
2010541536.tif 000005
【図４】
2010541536.tif 000006
【図５】
2010541536.tif 000007
【図６】
2010541536.tif 000008
【図７】
2010541536.tif 000009
【図８】
2010541536.tif 000010
【図９Ａ】
2010541536.tif 000011
【図９Ｂ】
2010541536.tif 000012
【図９Ｃ】
2010541536.tif 000013
【図１０】
2010541536.tif 000014
【図１１】
2010541536.tif 000015
【図１２】
2010541536.tif 000016
【国際調査報告】
2010541536.tif 000017
2010541536.tif 000018
2010541536.tif 000019